(57)【要約】【課題】本考案は、土留め高さを任意に変更でき、さらに安価で簡単に花壇を施工できる花壇組立物を提供するものである。【解決手段】下地に配設したスタッドと、該スタッドに被覆させて配設した土留め板枠とからなる花壇組立物において、前記スタッドは上方が開口している略Ｕ字形状であり、前記土留め板枠は下方が開口している略逆Ｕ字形状であり前記スタッドに被覆させたあと内面側からビス留めされて前記スタッドと一体化しており、前記土留め板枠は前記下地に接する端辺部の任意の位置に水を排出するための水抜き孔を有しており、さらに、前記土留め板枠は住宅用窯業系外装材を用いたものであることを特徴とする花壇組立物。【選択図】図１
0003119768.tif 000002
【実用新案登録請求の範囲】
【請求項１】
下地に配設したスタッドと、該スタッドに被覆させて配設した土留め板枠とからなる花壇組立物において、前記スタッドは上方が開口している略Ｕ字形状であり、前記土留め板枠は下方が開口している略逆Ｕ字形状であり前記スタッドに被覆させたあと内面側からビス留めされて前記スタッドと一体化しており、前記土留め板枠は前記下地に接する端辺部の任意の位置に水を排出するための水抜き孔を有しており、さらに、前記土留め板枠は住宅用窯業系外装材を用いたものであることを特徴とする花壇組立物。
【請求項２】
前記下地と前記スタッドとの間にスペーサを配設していることを特徴とする請求項１に記載の花壇組立物。
【考案の詳細な説明】
【技術分野】
【０００１】
本考案は、花や草木などの植物の栽培場所となる花壇を構成する花壇組立物に関する。
【背景技術】
【０００２】
従来より、花、草木等の栽培に花壇が利用され、植え付ける植物の大きさなどの利用目的により各種のものが使い分けられている。
一般に、花壇は、他の下地（地面、緑化のための屋上床面等）との区切りとなる土留め板枠と、その中に充填される土壌とからなる。
土留め板枠としては木、ブロック、煉瓦などを材料としたものが使用されている。
しかし、木の場合には雨水等により腐食が進み、長期的使用に耐えられなくなるおそれがある。
また、ブロックや煉瓦の場合は、土留め高さが決まってしまうので、充填する土壌を多くするために土留め高さを高くしようとすると、積み重ねなければならず、充填した土壌の圧力によってずれたり破損したりするおそれがある。
そのため、特許第３４９２７５２号にあるように、ブロックや煉瓦を互いに接合、接着して補強せねばならず、非常に手間が掛かると共に非常に高価なものになってしまう。
一方、住宅用窯業系外装材を花壇の材料として考えてみるに、物性的にはなんの問題もないにもかかわらず、その端部が製造工程内の加工中などで欠けてしまい、不良板になるものがある。
例えば幅４５５ｍｍ、長さ３０３０ｍｍの大きな住宅用窯業系外装材であっても、わずか１cm角の欠けが発生してしまうと、もはや住宅用窯業系外装材としては使用できなくなってしまう。
このような不良板は花壇の材料として利用することが可能である。
【特許文献１】特許第３４９２７５２号公報
【考案の開示】
【考案が解決しようとする課題】
【０００３】
本考案は、上記現状に鑑みてなされたものであり、住宅用窯業系外装材を利用して、土留め高さを任意に変更でき、さらに安価で簡単に施工ができる花壇組立物を提供せんとするものである。
【課題を解決するための手段】
【０００４】
上記課題を解決するために本請求項１に記載の考案は、下地に配設したスタッドと、該スタッドに被覆させて配設した土留め板枠とからなる花壇組立物において、前記スタッドは上方が開口している略Ｕ字形状であり、前記土留め板枠は下方が開口している略逆Ｕ字形状であり前記スタッドに被覆させたあと内面側からビス留めされて前記スタッドと一体化しており、前記土留め板枠は前記下地に接する端辺部の任意の位置に水を排出するための水抜き孔を有しており、さらに、前記土留め板枠は住宅用窯業系外装材を用いたものであることを特徴とする花壇組立物である。
住宅用窯業系外装材を使用しているので、必要な土留め高さに土留め板枠を設定することができ、木製材料のような腐食は起こらず、不燃性であり、長期的使用に耐え、また、安価で簡単に施工できる。
また、いろいろな色、柄の選択ができ、例えば、住宅の外装と合わせることもでき、住宅外観との調和が図れる。
【０００５】
また、本請求項２に記載の考案は、前記下地と前記スタッドとの間にスペーサを配設していることを特徴とする花壇組立物である。
このスペーサを設けたことで余分な水をさえぎることなく、簡単に系外に排出することができる。
【考案の効果】
【０００６】
本考案の花壇組立物によれば、必要な土留め高さに土留め板枠を設定することができ、安価で簡単に花壇を施工することができる。
【考案を実施するための最良の形態】
【０００７】
以下図面を用いて、本考案を実施するための最良の形態を説明する。
【実施例１】
【０００８】
図１は本考案に係る花壇組立物（１）を示す斜視図である。
図２は本考案に係る花壇組立物（１）の断面説明図である。
本考案に係る花壇組立物（１）は、下地（１００）に配設され土留め板枠（１０）を固定するスタッド（２０）と、住宅用窯業系外装材を加工してなる土留め板枠（１０）と、下地（１００）とスタッド（２０）との間に配設されたスペーサ（３０）とからなる。
なお、本考案において、上方とは天地方向の天側、下方とは天地方向の地側、内面とは土留め板枠（１０）を境にして土壌を充填する側のこと、外面とは土留め板枠（１０）を境にして土壌を充填しない側のことをいう。
【０００９】
スタッド（２０）の大きさは任意に設計することができるが、一例として幅５０mm、高さ４５mmのＣチャンネルを使用することができる。
また、予めスタッド（２０）の底面中央にスペーサ（３０）にビス固定するためのビス孔を複数設けておいてもよい。
【００１０】
土留め板枠（１０）は住宅用窯業系外装材から加工される。
住宅用窯業系外装材として、セメントや、ケイ砂、補強繊維などを主原料とし
て、湿式製法、乾式製法、注型製法、押出成形などで製造される、いわゆる窯業系サイディング、ガラス繊維混入セメント板、パルプ混入セメント押出成形板、木繊維混入セメントケイ酸カルシウム板、繊維混入セメントケイ酸カルシウム板、硬質木片セメント板、スラグセメントパーライト板などが利用できる。
その表面にはエンボスによる柄形成や切削による溝形成などが施され、さらに有機や無機の塗料が何重にも施された化粧表面を有しており、耐候性、耐凍性に非常にすぐれた性能を発揮する。
ところが、住宅用窯業系外装材の裏面については、施工上、下地材との間の通気や、防水シートなどの使用により防水性等を確保した条件での使用を前提としているので、化粧表面のように何重も塗料が施されてはいない。
そこで、土留め板枠（１０）を形成するには、住宅用窯業系外装材の裏面側にＶカット部を２箇所形成し、そのカット面を互いに接着して一体となし、表面が外側になるように断面視コの字形状に形成する。
なお、形成された角部裏面に面取りカットしても構わない。
また、下地（１００）に接する端辺部には任意の位置に排水のための水抜き孔（１０ａ）を複数箇所に形成する。
この水抜き孔（１０ａ）は図３に示すように、逆Ｕ字形状、逆Ｖ字形状、逆円弧形状等のものを土留め板枠（１０）の中間部の端辺部に設けてもよいが、土留め板枠（１０）の長尺方向の端辺の下地（１００）に接する端辺部を斜めにカットすることで、水抜き孔（１０ａ）とすることが加工上簡単で好ましい。
また、土留め板枠（１０）の土壌を充填する内面側には、スタッド（２０）にビス留めするためのビス孔を予め設けていてもよい。
土留め高さに該当する土留め板枠（１０）の高さは任意に設計することができるが、スタッド（２０）の高さの約１〜９倍とすることが好ましい。
９倍以上にすると、土壌による荷重圧力により、スタッド（２０）と土留め板枠（１０）の接合に不具合が生じる可能性がある。
【００１１】
次に、スペーサ（３０）は、下地（１００）とスタッド（２０）との間に施工されて水抜きを可能にするために使用される。
具体的にはスペーサ（３０）の大きさは幅がスタッド（２０）よりも少し短めであって、長さは短尺のものとし、それを複数隙間を置いて配設する。
スペーサ（３０）とスペーサ（３０）との間には空間が形成されるため、内面側からの水は、土留め板枠（１０）の水抜き孔（１０ａ）を通ってこの空間を通り、外面側の水抜き孔（１０ａ）から排出されるようになる。
スペーサ（３０）としては住宅用窯業系外装材の端材などを使用するのが好ま
しい。
【００１２】
次に、本考案に係るこの花壇組立物（１）の施工方法について説明する。
まず、下地（１００）の上にスペーサ（３０）を複数配置し、その上にスタッド（２０）を配置し、スタッド（２０）の底面中央内側からスペーサ（３０）も含めてビスにより下地（１００）に留め付ける。
この際、下地（１００）とスペーサ（３０）との間に保水シートや防水シート
を施してもよい。
また、屋上等の防水加工の施してある部分で使用する場合には、ビスはスペーサ（３０）の厚み内にとどめ、下地（１００）まで貫通させなくてもよい。
この場合もスタッド（２０）同士の連結により、スタッド（２０）が移動したり、ずれたりすることはない。
次に、土留め板枠（１０）をスタッド（２０）の上から被覆させ、土留め板枠（１０）内側表面からビスにて土留め板枠（１０）をスタッド（２０）に留め付け、花壇組立物（１）とする。
そのあと、土留め板枠（１０）の内側に土壌を充填すれば、花壇が出来上がる。
【００１３】
また、花壇のコーナー部分の施工については、二つの土留め板枠（１０）の長尺方向の端辺を４５°にカットして互いに突き付けて接合部にシーリング加工してもよいし、別に準備して半円、三角形状の専用のコーナー部材を使用してもよい。
さらに、土留め板枠（１０）間の継ぎ目にはシーリング加工を施してもよい。
【図面の簡単な説明】
【００１４】
【図１】本考案に係る花壇組立物を示す斜視図
【図２】本考案に係る花壇組立物の断面説明図
【図３】本考案に係る花壇組立物の土留め板の水抜き孔を示す参考図
【符号の説明】
【００１５】
１      花壇組立物
１０    土留め板枠
１０ａ  水抜き孔
２０    スタッド
３０    スペーサ
【図１】
0003119768.tif 000003
【図２】
0003119768.tif 000004
【図３】
0003119768.tif 000005